(57)【要約】【課題】コンクリート硬化後にコンクリート表面から少し入り込んだ箇所でセパレーターの端部から締結具をコーン部材と共に回動手段で簡単に取り外すことができる締結具の提供。【解決手段】一端側においてラッパ状に開口する空洞部１ａを備えた断面台形状のコーン部材１の他端側底面の外面に、セパレーター１０の一端を螺合連結するネジ孔２またはネジ軸２ａが設けられ、該底面の内側には連結部材４を螺合連結するネジ軸３が前記空洞部１ａ内に突設されており、前記連結部材４は前記ネジ軸３またはネジ孔３ａに螺合するネジ受穴５を備えたボス６と、該ボス６に結合された板状部材７とからなり、前記コーン部材１他端側のネジ孔２またはネジ軸２ａと該連結部材４のネジ受穴５またはネジ軸５ａのネジ螺進方向が逆に形成されている構造。【選択図】        図１
2004360341.tif 000002
【特許請求の範囲】
【請求項１】
一端側においてラッパ状に開口する空洞部（１ａ）を備えた断面台形状のコーン部材（１）の他端側底面の外面に、セパレーター（１０）の一端を螺合連結するネジ孔（２）またはネジ軸（２ａ）が設けられ、該底面の内側には連結部材（４）を螺合連結するネジ軸（３）またはネジ孔（３ａ）を備えたボス部材（３ｂ）が前記空洞部（１ａ）内に突設されており、前記連結部材（４）は前記ネジ軸（３）またはネジ孔（３ａ）に螺合するネジ受穴（５）またはネジ軸（５ａ）を備えたボス（６）と、該ボス（６）に結合され且つクリップ挿入孔（７ａ）を備えた板状部材（７）とからなり、前記コーン部材（１）の他端側のネジ孔（２）またはネジ軸（２ａ）と該連結部材（４）のネジ受穴（５）またはネジ軸（５ａ）のネジ螺進方向が逆に形成されているコンクリート型枠用セパレーターの締結具。
【請求項２】
板状部材（７）がボス（６）に対してネジ受穴（５）またはネジ軸（５ａ）の軸芯と直交するピン（８）の周りで揺動できるように連結されている請求項１に記載のコンクリート型枠用セパレーターの締結具。
【請求項３】
ネジ孔（２）またはネジ軸（２ａ）とネジ軸（３）またはネジ孔（３ａ）がコーン部材（１）とは別部材で形成されたインサート部材（９）に設けられ、該インサート部材（９）がコーン部材（１）に対して少なくともラッパ状開口部の方向に向かって移動不可に結合されている請求項１又は２に記載のコンクリート型枠用セパレーターの締結具。
【請求項４】
コーン部材（１）が合成樹脂材料で形成され、前記インサート部材（９）並びに連結部材（４）が金属材で形成されているコンクリート型枠用セパレーターの締結具。
【発明の詳細な説明】
【０００１】
【発明が属する技術分野】
本発明はコンクリートを打設するときにコンクリート型枠を所定の打設空間を隔てて保持するセパレーターの締結具に関する。
【０００２】
【従来の技術】
従来、コンクリートを打設する際、コンクリート型枠を対峙する他方のコンクリート型枠又は土壁面に対してセパレーターにより所定の打設空間を保持させた状態で組み付け、打設空間に打ち込んだコンクリートが硬化した後、型枠をコンクリート施工面から除去している。この際、コンクリート表面から外方に突出したセパレーターの端部を切断除去しているがその切断端がコンクリート表面に露出したのでは不体裁であるので、予めセパレーター端部の周囲を囲う断面台形状のコーン部材をコンクリート表面に埋め込んでおいてコンクリート表面に凹部を形成し、この凹部のやや入り込んだ箇所でセパレーターの端部を切断した後、コーン部材を除去してその窪みをモルタルで埋めている。
【０００３】
【発明が解決しようとする課題】
しかしセパレーターの端部を切断する時に先端突出部分を上下させて切断するものであるから大変手間であると共に、上下動させるに必要な空間をコーン部材に形成しなければならないから、コーン部材の開口部を大きくする必要があり、また、コーン部材の除去後の穴が大きくなっているため、モルタルで埋める後処理作業や外観面において問題となる。
【０００４】
そこで本発明は、セパレーターの端部と型枠とを連結する締結具に工夫を加えることにより、コンクリート硬化後にコンクリート表面から少し入り込んだ箇所でセパレーターの端部から締結具を回動手段で簡単に取り外すことができるようにし、これによりコーン部材の小型化と作業性の効率化を図ると共に、上記した従来課題の解決を図ることを主たる目的とするものである。
【０００５】
【課題を解決するための手段】
上記目的を達成するために、本発明では次のような技術的手段を講じた。即ち本発明に係るセパレーターの締結具にあっては、一端側においてラッパ状に開口する空洞部１ａを備えた断面台形状のコーン部材１の他端側底面の外面に、セパレーター１０の一端を螺合連結するネジ孔２またはネジ軸２ａが設けられ、該底面の内側には連結部材４を螺合連結するネジ軸３またはネジ孔３ａを備えたボス部材３ｂが前記空洞部１ａ内に突設されており、前記連結部材４は前記ネジ軸３またはネジ孔３ａに螺合するネジ受穴５またはネジ軸５ａを備えたボス６と、該ボス６に結合され且つクリップ挿入孔７ａを備えた板状部材７とからなり、前記コーン部材１の他端側のネジ孔２またはネジ軸２ａと該連結部材４のネジ受穴５またはネジ軸５ａのネジ螺進方向が逆に形成されている構造とした。これにより型枠除去後に連結部材４を回動してコーン部材１と共にコンクリート表面から簡単に取り外すことができ、且つ締結具を取り外したコンクリートの凹所の奥部にセパレーター１０の端部を残存させることができる。
【０００６】
【発明の実施の形態】
前記板状部材７がボス６に対してネジ受穴５の軸芯と直交するピン８の周りで少し揺動できるように連結するのがよい。これにより型枠１１のクリップ孔１１ａと板状部材７のクリップ挿入孔７ａとにクリップ１２を差し込むときに両者間に若干のズレがあっても容易に修正して差し込むことができる。
【０００７】
上記したネジ孔２とネジ軸３とは図７に示すようにコーン部材１と一体的に成形することが可能である。しかしながら、図１に示すように別部材で形成されたインサート部材９を設けて、コーン部材１に対してラッパ状開口部の方向に向かって挿入結合させてある構造としておくのが好ましい。
【０００８】
また、前記コーン部材１を合成樹脂材料で形成し、前記インサート部材９並びに連結部材４を金属材で形成するのがよい。
【０００９】
【実施例】
以下本発明の第１の実施例を図１〜図３に基づき説明する。このセパレーターの締結具は、ラッパ状に開口する断面台形状の合成樹脂製コーン部材１の底面の外面にセパレーター１０の一端を螺合連結するネジ孔２が設けられ、底面内側には後述する連結部材４を螺合連結するネジ軸３が突設されている。本実施例ではコーン部材１とは別部材で形成された金属製のインサート部材９に前記ネジ孔２とネジ軸３が設けられ、コーン部材１に対してラッパ状開口部の方向に向かって分離できないようにコーン部材１に嵌合連結されている。
【００１０】
前記連結部材４は金属材で作られており、前記ネジ軸３に螺合するネジ受穴５を備えたボス６と、該ボス６に結合され且つクリップ挿入孔７ａを備えた板状部材７とから構成される。前記板状部材７はボス６に対してネジ受穴５の軸芯を直交するピン８の周りで少し揺動できるように連結されている。この場合、前記板状部材７がコーン部材１内で少し揺動できるように、コーン部材１の開口部内面との間に若干の間隙が留保されている。また、前記ネジ孔２とネジ受穴５のネジ螺進方向が逆に形成されている。本実施例ではセパレーター１０とかみ合うネジ孔２が正常の時計方向の回転で螺進するように形成され、板状部材７のネジ受穴５が逆ネジ（反時計方向の回動で螺進）で形成されている。
【００１１】
上記したセパレーター１０の締結具は図２に示すように、セパレーター１０の先端に形成されたネジ軸部１０ａを締結金具のネジ孔２に螺合し、コンクリート型枠１１のクリップ孔１１ａと板状部材７のクリップ挿入孔７ａとにクリップ１２を差し込んで使用する。このクリップ１２を差し込むときに、板状部材７がボス６に対してネジ受穴５の軸芯と直交するピン８の周りで少し揺動できるように形成されているので両者間に若干のズレがあってもズレを修正して容易に差し込むことができる。
【００１２】
コンクリートが硬化した後は、クリップ１２を外してコンクリート型枠１１を除去したあと、図３に示すように、連結部材４を反時計方向に回動してコーン部材１と共に締結具をコンクリート表面から取り外す。この場合、板状部材７のネジ受穴５とネジ軸３とは前記ネジ軸部１０ａとネジ孔２とのネジ方向に対して逆ネジで螺合されているので、板状部材７の反時計方向の回動により板状部材７がネジ軸３から外れることはない。これにより締結具を取り外した後のコンクリートの凹所１３の奥部にセパレーター端部のネジ軸部１０ａを残存させることができる。また板状部材７を回動させることによって締結具全体をセパレーター１０から分離させるものであるから、作業が容易であると共にコーン部材１の開口部を小さくできてコーン部材の小型化が可能となる。
【００１３】
図４乃至図６は、それぞれ別の実施例について示したものであって、図４に示した第２実施例は、前記第１実施例において示したセパレーター１０の先端部に形成された連結部が、即ち、ネジ軸部１０ａがナット状のネジ孔１０ｂである場合に対応して螺合するネジ軸２ａを備えた構造としたものである。
【００１４】
また、図５に示した第３実施例は、前記第１実施例において示したネジ軸３をネジ孔３ａを備えたボス部材３ｂとした場合の実施例について示したものであって、この場合は、当然の構造として前記第１実施例において示したネジ受穴５に相当する連結部材の構造は、前記ネジ孔３ａと螺合するネジ軸５ａを備えたものとされている。
【００１５】
更に、図６に示した第４実施例は、セパレーター１０の先端部と連結する連結部の構造を、前記第２実施例のようにネジ軸２ａに形成してあるものとし、コーン部材１の空洞部１ａ内における連結部の構造を、前記第３実施例のようにネジ孔３ａを備えたボス部材３ｂとネジ軸５ａとからなる構造としたものである。
【００１６】
更に、図７は第５実施例について示したもので、この実施例のものは、前記のようにセパレーター１０の先端部と連結するネジ孔２とボス６に形成したネジ受穴５と螺合するネジ軸３とをコーン部材１の本体部分と一体的に形成してある構造としたものである。
【００１７】
以上に記載した第２実施例乃至第５実施例の各実施例に示したセパレーター１０側の連結部とコーン部材１内部の連結部とは、何れの場合も螺合ネジの回転方向が互いに逆方向となるように形成してあるものである。本発明はこのようにしたものであるから、前記第７図の第５実施例の場合を除き、セパレーター１０の先端部のネジとインサート部材９に形成されたネジとの嵌合が、コンクリートノロが浸み込む等の理由から強固になり過ぎて、前記のように板状部材７を反時計方向に回転させても螺合を解いて除去できないときは、板状部材７を時計回りに回転させて、コーン部材１の空洞部１ａ内に存在する連結部（第１実施例にあってはネジ軸３とネジ受穴５）の連結を解いて連結部材４を除去した後、コーン部材１をテイ打してコンクリートとの結合を解いて除去し、残余の穴にモルタル等を入れて閉塞する。
【００１８】
以上本発明の代表的な実施例について説明したが、本発明は必ずしも上記実施例構造のみに限定されるものでない。例えば上記した板状部材７とボス６とは揺動不可に一体的に結合して形成することも可能である。その他本発明ではその構成要件を備え、且つ効果を有する範囲内で適宜変更して実施できることは勿論である。
【００１９】
【発明の効果】
本発明は上記のごとく構成したものであるから、回動手段によって簡単に締結具をセパレーターから分離させることができ、これにより作業効率の向上を図ることができると共にコーン部材の開口部を小さくできてコーン部材の小型化が可能となる。また取り外した締結具は反復使用することができるので経済的であるといった効果がある。また請求項２の構成とすることにより、コンクリート型枠のクリップ孔と板状部材のクリップ挿入孔との相互間に若干のズレがあってもこれを修正してクリップを容易に差し込むことができるといった効果がある。
【図面の簡単な説明】
【図１】本発明に係る締結具の第１実施例を示す分解斜視図。
【図２】上記締結具の使用状態を示す断面図。
【図３】コンクリート施工後に上記締結具を取り外した状態を示す断面図。
【図４】本発明に係る締結具の第２実施例を示す締結具全体の断面図。
【図５】本発明に係る締結具の第３実施例を示す締結具全体の断面図。
【図６】本発明に係る締結具の第４実施例を示す締結具全体の断面図。
【図７】本発明に係る締結具の第５実施例を示す締結具全体の断面図。
【符号の説明】
１  コーン部材
２  ネジ孔
３  ネジ軸
４  連結部材
５  ネジ受穴
６  ボス
７  板状部材
７ａ  クリップ挿入孔
８  ピン
【図１】
2004360341.tif 000003
【図２】
2004360341.tif 000004
【図３】
2004360341.tif 000005
【図４】
2004360341.tif 000006
【図５】
2004360341.tif 000007
【図６】
2004360341.tif 000008
【図７】
2004360341.tif 000009